(57)【特許請求の範囲】
【請求項１】
第１レンズ群と、第２レンズ群と、これら第１、第２レンズ群の直進ガイドと前記直進ガイド間に形成された切欠部とを有する固定筒と、前記固定筒の外周側に位置し、その内周面側に第１レンズ群用カムフォロワ及び第２レンズ群用カムを有する回転操作筒と、前記固定筒の内周側に位置し、その外周面側に前記第１レンズ群用カムフォロワと対向する第１レンズ群用カムを有する移動枠体筒とからなり、前記第１レンズ群用カムフォロワと前記第１レンズ群用カムはそれぞれ前記固定筒の前記切欠部内にあり、前記回転操作筒の外周面側を操作することにより前記第１レンズ群及び第２レンズ群が光軸方向に駆動されるように構成したことを特徴とする、２成分のレンズ群を駆動するズームレンズ鏡胴。
【請求項２】
第１レンズ群用カムと第２レンズ群用カムの少なくとも一方は、挟み込みカムにより構成されている請求項１に記載の、２成分のレンズ群を駆動するズームレンズ鏡胴。
【発明の詳細な説明】
【０００１】
【発明の属する技術分野】
本発明は、２成分で構成されるズームレンズ鏡胴、特にそのレンズ移動機構の構成を簡略化してコストダウン並びに小型化を図った２成分ズームレンズ鏡胴に関するものである。
【０００２】
【従来の技術】
従来の２成分ズームレンズ鏡胴におけるズーム駆動機構の場合、例えば図９に示すように、固定筒３０と、この固定筒３０に嵌め込まれたズームカム環３１と、鏡胴最外周に設けられたズーム操作環３２とを有し、第１、第２レンズ移動枠３３(図では一方のみ示す)に設けられた各案内ピン３４を、固定筒３０に設けられた直進ガイド３５と、ズームカム環３１に設けられたカム溝３６に係合するとともに、ズーム操作環３２から延びるズーム連動ピン３７をズームカム環３１と連結している。なお、３８はフォーカスカム環である。
【０００３】
そして、ズーム操作環３２を回転操作すると、その動きがズーム連動ピン３７を介してズームカム環３１に伝達され、該カム環３１が回転する。このカム環３１の回転により、各レンズ移動枠３３の案内ピン３４が、各案内ピン３４に対応するカム溝３６と、固定筒３０の直進ガイド３５に案内され、これにより、各レンズ移動枠３３が光軸方向に移動するようになっている。
【０００４】
【発明が解決しようとする課題】
しかしながら、上記従来構成の場合、ズーム操作環３２とズームカム環３１とが別部品として構成されており、しかも、これらの部品３１，３２はレンズ回りに多重に嵌合されるものであるため、部品点数の削減を期すことができないだけでなく、鏡胴の小型化を図るうえでの大きな障害となっていた。また、ズーム操作環３２とズームカム環３１の成型用として別個の金型を要するうえ、金型の構成が複雑化することや、組立に工数を要することなども相俟って、コストダウンを図るにも限度があるといった問題点があった。
【０００５】
本発明は、上記従来の問題点を解決するためになされたもので、ズームレンズ鏡胴を作製するにあたって、部品点数を削減して小型化を期すことができ、さらに、コストダウンを図ることができる新規な２成分ズームレンズ駆動機構を提供することを目的とするものである。
【０００６】
【課題を解決するための手段】
上記目的を達成するために本発明では、第１レンズ群と、第２レンズ群と、これら第１、第２レンズ群の直進ガイドと前記直進ガイド間に形成された切欠部とを有する固定筒と、前記固定筒の外周側に位置し、その内周面側に第１レンズ群用カムフォロワ及び第２レンズ群用カムを有する回転操作筒と、前記固定筒の内周側に位置し、その外周面側に前記第１レンズ群用カムフォロワと対向する第１レンズ群用カムを有する移動枠体筒とからなり、前記第１レンズ群用カムフォロワと前記第１レンズ群用カムはそれぞれ前記固定筒の前記切欠部内にあり、前記回転操作筒の外周面側を操作することにより前記第１レンズ群及び第２レンズ群が光軸方向に駆動されるように構成することにより、１部品で、２成分ズームの操作部材と、移動用カムを共有することができ、これによって部品点数を少なくすることが可能となる。また、小型化、コストダウン化を図ることができるものとしている。
【０００７】
上記構成において、前記第１レンズ群用カムと第２レンズ群用カムの少なくとも一方を、挟み込みカムにより構成することにより、回転操作筒の製作段階において、２面割りの金型を用いることが可能となる。したがって、金型の構成が簡単で、安価に製作することが可能となる。
【０００８】
【発明の実施の形態】
以下、本発明に係るズームレンズ鏡胴の一実施の形態を図面を参照しながら説明する。図１は本実施形態のズームレンズ鏡胴及びこれを装着したカメラの外観を示している。この図に示すカメラＣは、複数種の撮影用レンズが着脱自在な一眼レフカメラであって、ＡＦ(自動焦点調節)機能及びＡＥ(自動露光調節)機能を備えており、そのボディＢのほぼ中央には、レンズ装着用マウント部Ｍが形成されている。また、図示してはいないが、ボディＢ内には、カメラ及びレンズの駆動系、表示系及び測光系等に電源を供給する電源電池が着脱交換可能に内装されている。
【０００９】
図２及び図３は、本実施形態のズームレンズ鏡胴Ｌを示しており、図２は各構成部材を、図３は組立状態をそれぞれ示している。これらの図に示したズームレンズ鏡胴Ｌは、第１群保持枠１に固定支持された第１レンズ群Ｇ１と、第２群保持枠２に固定支持された第２レンズ群Ｇ２とを備えており、第１、第２レンズ群Ｇ１，Ｇ２の光軸方向への移動によってズーミングが行われるとともに、主として第１レンズ群Ｇ１の光軸方向への移動によってフォーカシングが行われるように構成されている。また、３は固定筒、４はズーム操作環、５はフォーカス繰出筒、６はズーム繰出筒である。図４(Ａ)はズーム操作環４を、(Ｂ)はズーム繰出筒６を、(Ｃ)は固定筒３をそれぞれ展開して示している。
【００１０】
第１群保持枠１は、フォーカス繰出筒５に光軸方向に移動可能に装着されている。なお、図示省略しているが、第１群保持枠１は例えばヘリコイドギアと噛合するギアを備えており、ヘリコイドギア、駆動伝達機構及びカプラーを介してボディ側に設けられたフォーカス用モータと結合されている。そして、フォーカシング時には、ＡＦユニットによって検出されたデータに基づき、フォーカス用モータが駆動され、その出力がカプラー、駆動伝達機構を介してヘリコイドギアに伝達されることにより、第１群保持枠１が光軸方向に駆動される。
【００１１】
また、図示省略した距離環を電気的にフォーカス用モータと接続するか、あるいは機械的にヘリコイドギアと結合した構成を設けることにより、該距離環をマニュアル操作することで、フォーカス用モータが駆動され、あるいは直接的にヘリコイドギアが回転駆動されて、マニュアルフォーカシングが行われる。
【００１２】
フォーカス繰出筒５はズーム繰出筒６に結合されている。ズーム繰出筒６は外周面３等分部位に、曲線状の凸条からなる第１群カムフォロア７及び第１群直進突起８が外周面上の互いに異なる位置に形成されており、第１群カムフォロア７はズーム操作環４の内周面に形成された第１群カム９に係合し、第１群直進突起８は固定筒３の内周面３等分部位に形成された第１群直進ガイド溝１０に係合している。
【００１３】
第２群保持枠２は、外周の３等分部位に、それぞれ放射状に延びる直進ガイド片１１を備えており、これらの直進ガイド片１１は、固定筒３の周面３等分部位に形成された第２群直進ガイド溝１２に係合するとともに、ズーム操作環４の内周面３等分部位に形成された第２群リード溝１３に係合している。なお、各直進ガイド片１１には径方向中間部をコ字状に成形したバネ部１１ａが形成されており、このバネ部１１ａにより該直進ガイド片１１に弾性を付与することにより、直進ガイド片１１が第２群リード溝１３に最適な付勢力で当接するようにしてある。
【００１４】
また、固定筒３の各第２群直進ガイド溝１２間にはそれぞれ、ズーム操作環４の回転範囲を規制する回転規制溝１４が形成されており、一方、ズーム操作環４の周面３等分部位にはそれぞれ、挿入孔１５が形成されている。これらの挿入孔１５には後述するように、回転規制部材１６(図７参照)が挿入後、ビス１７によって止着され、該回転規制部材１６が回転規制溝１４に臨んで、該溝１４の両端に当接することにより、ズーム操作環４はワイド端及びテレ端で、それ以上の回転を規制される。
【００１５】
上記構成のズームレンズ鏡胴Ｌにおいては従来とは異なり、ズーム操作環４それ自体にカム機構のカムまたはカムフォロアが一体的に形成されており、操作環とズームカム環の役割を兼備するように構成されているため、部品点数を削減して鏡胴の小型化を図ることができる。なお、該ズーム操作環４の表面にカム機構の構成部分が、孔の形をとって露出しているが、これらの孔部分は、図３に示すように、該操作環４の外周面に套嵌された滑り止め部材１８によって被覆され、外観には露れないようにしてある。
【００１６】
そして、ズーミング操作を行うときは、ズーム操作環４の回転がカム環を介することなく、第１群、第２群保持枠１，２にカム機構を介して伝達される。すなわち、広角側から望遠側あるいはその逆方向のズーム操作を行うときは、ズーム操作環４を手動により回転させると、第１群カム９の回転に第１群カムフォロア７が従動し、これによってズーム繰出筒６は、第１群直進ガイド溝１０に光軸方向へ案内されることにより、フォーカス繰出筒５及び第１群保持枠１が一体的に光軸方向に移動する。同時にズーム操作環４の第２群リード溝１３の回転に第２群直進ガイド片１１が従動し、これによって第２群保持枠２は、第２群直進ガイド溝１２に光軸方向へ案内されることにより、第２群保持枠２が一体的に光軸方向へ案内され、ズーミングが行われる。
【００１７】
上記構成において、第１群カム９は挟み込みカムによって構成されている。図２に示すように、この挟み込みカムからなる第１群カム９は、ズーム操作環４の一端側に所定位相の３等分位置に角孔９ａを設け、この角孔９ａの前後辺中央対向部分に、内径側に突出する一対の挟み片９ｂを一体形成してなるもので、曲線状の凸条からなるズーム繰出筒６の第１群カムフォロア７を両側の挟み片９ｂで挟み込んだ状態でリードするように構成されている。
【００１８】
このようにズーム操作環４の軸方向で対向する挟み片９ｂを有する挟み込みカムとすることにより、ズーム操作環４の製作段階において、軸方向に２面割りの金型を用いることが可能となるため、簡単で安価な金型によって製作することができるという利点がある。なお、説明の便宜上、ズーム繰出筒６側のカム構成をカムフォロア７とし、ズーム操作環４側のカム構成をカム９と称しているが、カムとカムフォロアは相対的な呼称であると言える。
【００１９】
次に、上記構成のズームレンズ鏡胴Ｌの組立のための構成及び組立要領について説明すると、図４ (Ａ)に示すように、ズーム操作環４の第２群リード溝１３には、駆動領域のテレ端から連続するオーバーテレ領域ｔｏと、駆動領域のワイド端から連続するオーバーワイド領域ｗｏを有している。また、図４ (Ｃ)に示すように、固定筒３の各第２群直進ガイド溝１２間で、ズーム繰出筒６の第１群カムフォロア７を臨ませる位置にはそれぞれ、該第１群カムフォロア７と第１群カム９とが並列状態で外部に露出可能な切欠部１９が形成されている。
【００２０】
そして、第１レンズ群Ｇ１、第１群保持枠１及びフォーカス繰出筒５が組み込まれたズーム繰出筒６を固定筒３と、ズーム操作環４に組み込むときは、図５に示すように、ズーム繰出筒６の第１群カムフォロア７が切欠部１９に臨むようにして、固定筒３内にズーム繰出筒６を嵌め込むとともに、固定筒３の外径側に嵌め込んだズーム操作環４をテレ側に回転させて、第２群リード溝１３のオーバーテレ領域ｔｏをズーム繰出筒６の第１群カムフォロア７のテレ端と一致させる。この状態にすると、固定筒３の切欠部１９内において、第１群カムフォロア７のワイド端の延長上に第１群カム９が配置された形となり、ここからズーム操作環４をワイド側に回転させると、第１群カムフォロア７が第１群カム９に挟み込み係合され、これによって第１群の構成が鏡胴内に組み込まれる。
【００２１】
次いで、第２レンズ群Ｇ２を保持する第２群保持枠２を固定筒３と、ズーム操作環４に組み込むときは、図６に示すように、第１群の構成を組み込んだ状態から、固定筒の第２群直進ガイド溝１２の端部にズーム操作環４の第２群リード溝１３のオーバーワイド領域ｗｏが重なるまで更にズーム操作環４をワイド側に回転させたうえで、その重なり部分から第２群直進ガイド片１１を挿入することにより、第２群の構成を鏡胴内に組み込むことができる。
【００２２】
このようにカム機構中に、オーバーワイド領域ｗｏ、オーバーテレ領域ｔｏを設けて、これらの領域ｗｏ，ｔｏにおいて、第１群及び第２群の構成を組み込むようにすれば、組立時に、組み込み位置が分かりやすく、組立工数の削減を期すことができる。
【００２３】
以上のようにして、第１群及び第２群の鏡胴への組み込みが完了すると、図７及び図８に示すように、ズーム操作環４の挿入孔１５に回転規制部材１６を挿入後、ビス止めすることにより、ズーム操作環４の回転は固定筒３の回転規制溝１４の範囲内に規制され、オーバーワイド、オーバーテレへの行き過ぎが防止される。
【００２４】
この回転規制部材１６は、例えば図示のような８角形状のコマ状を呈し、中心部にネジ孔２０が形成されているとともに、該ネジ孔２０を通る上面部位に回り止め突起２１を設けてなるものである。一方、ズーム操作環４の挿入孔１５は、カム機構のオーバーワイド領域とオーバーテレ領域を含まない範囲に設けられていて、回転規制部材１６を受け入れ可能な縦横寸法の方形状に形成された嵌め込み部１５ａと、該回転規制部材１６の厚みとほぼ等しい高さの横穴部１５ｂとにより構成されており、横穴部１５ｂの上面には、嵌め込み部１５ａに開放し、回転規制部材１６の回り止め突起２１の挿入を許す回り止め溝２２が形成されている。
【００２５】
回転規制部材１６を挿入孔１５に止着するときは、該回転規制部材１６を嵌め込み部１５ａに挿入した後、横穴部１５ｂにスライドさせる。これにより回転規制部材１６は固定筒３の回転規制溝１４に入り込むとともに、回り止め突起２１が回り止め溝２２に係合して、回り止めが図られる。この状態から回転規制部材１６のネジ孔２０にビス１７を止着することにより、回転規制部材１６が回転規制溝１４に回り止めされるので、ビス１７に加わる緩解方向の力が大きく低減されて、緩みにくくなる。
【００２６】
【発明の効果】
以上説明したように本発明では、１部品で、２成分ズームの操作部材と、移動用カムを共有することができ、これによって部品点数を少なくすることができる。また、部品点数の削減、特にレンズ回りに多重に配される部品点数を削減することができるので、小型化及びコストダウン化を図ることができる。
【００２７】
また、回転操作筒の製作段階において、２面割りの金型を用いることが可能となる。したがって、金型の構成が簡単で、安価に製作することができ、より一層の有効な製造コストダウンを実現することができる。
【図面の簡単な説明】
【図１】  本発明の一実施形態のズームレンズ鏡胴及びこれを装着したカメラの一例を示す外観斜視図。
【図２】  ズームレンズ鏡胴の各構成部材を分解して示す斜視図。
【図３】  その組立状態を概略的に示す半截断面図。
【図４】  (Ａ)ズーム操作環、(Ｂ)ズーム繰出筒、(Ｃ)固定筒を示す展開図。
【図５】  第１群組み込み時を示す展開図。
【図６】  第２群組み込み時を示す展開図。
【図７】  回転規制部材と挿入孔を示す分解斜視図。
【図８】  その組立状態を示す断面図。
【図９】  従来例の概略構成を示す断面図。
【符号の説明】
１    第１群保持枠
２    第２群保持枠
３    固定筒
４    ズーム操作環
５    フォーカス繰出筒
６    ズーム繰出筒
７    第１群カムフォロア
８    第１群直進突起
９    第１群カム
１０    第１群直進ガイド溝
１２    第２群直進ガイド溝
１３    第２群リード溝
１４    回転規制溝
１５    挿入孔
１６    回転規制部材
１７    ビス
Ｇ１  第１レンズ群
Ｇ２  第２レンズ群
Ｌ  ズームレンズ鏡胴
【図１】
0003748120.tif 000002
【図２】
0003748120.tif 000003
【図３】
0003748120.tif 000004
【図４】
0003748120.tif 000005
【図５】
0003748120.tif 000006
【図６】
0003748120.tif 000007
【図７】
0003748120.tif 000008
【図８】
0003748120.tif 000009
【図９】
0003748120.tif 000010